(57)【要約】      （修正有）【課題】病院等での長期間の点滴治療の間中、点滴を外すことなく、かつ看護師等の手助けなしに自分で着替えることのできる点滴用衣服を提供する。【解決手段】左袖の下方部に脱着可能な第１の合せ目ＣＬ１を有し、左袖の下方部から襟にかけて脱着可能な第２の合せ目ＣＬ２を有し、かつ、右袖の下方部に脱着可能な第１の合せ目を有し、右袖の下方部から襟にかけて脱着可能な第２の合せ目を有し、長期間の点滴中でも看護師等の介護なしに自分一人で着替えることができることを特徴として点滴用衣服１００を構成する。【選択図】図１
0003162110.tif 000002
【実用新案登録請求の範囲】
【請求項１】
左袖の下方部に脱着可能な第１の合せ目を有し、左袖の下方部から襟にかけて脱着可能な第２の合せ目を有し、かつ、右袖の下方部に脱着可能な第１の合せ目を有し、右袖の下方部から襟にかけて脱着可能な第２の合せ目を有し、長期間の点滴中でも看護師等の介護なしに自分一人で着替えることができることを特徴とする点滴用衣服。
【請求項２】
前記脱着可能な第１の合せ目が、ホックにより脱着可能となっていることを特徴とする請求項１に記載された点滴用衣服。
【請求項３】
前記脱着可能な第２の合せ目が、ボタンにより脱着可能となっていることを特徴とする請求項１〜２の何れかに記載された点滴用衣服。
【請求項４】
前記点滴用衣服が点滴用シャツであることを特徴とする請求項１〜３の何れかに記載された点滴用衣服。
【請求項５】
前記点滴用衣服が点滴用ガウンであることを特徴とする請求項１〜４の何れかに記載された点滴用衣服。
【考案の詳細な説明】
【技術分野】
【０００１】
本考案は、点滴用衣服に関する。詳しくは、病院等での長期間の点滴治療の間中、点滴を外すことなく、かつ看護師等の手助けなしに自分で着替えることのできる点滴用衣服に関する。
【背景技術】
【０００２】
すなわち、病院等での長期間の点滴治療の間中、点滴を外すことなく、かつ看護師等の手助けなしに自分で衣服を着替えることは不可能であった。
【０００３】
これは、看護師等の手助けなしに自分で着替えることのできる最適な点滴用衣服が存在せず、従来使用していた衣服では、自分一人では衣服を着替えることができなかったからである。
【０００４】
考案者は、上記従来技術の欠点を解消する先行技術を発見することができなかったので、［特許文献］の記載は省略する。
【考案の概要】
【考案が解決しようとする課題】
【０００５】
○本考案が解決しようとする第１課題
本考案が解決しようとする第１課題は、病院等での長期間の点滴治療の間中、点滴を外すことなく、かつ看護師等の手助けなしに自分で着替えることのできる点滴用衣服を提供することである。
○本考案が解決しようとする第２課題
本考案が解決しようとする第２課題は、点滴を受けていない手（点滴を受けている手の反対側の手）による衣服の着替え作業において、点滴注射針の注入位置へ繋がっている点滴ラインと作業する手とが極力離れた位置において着替えが可能な点滴用衣服を提供することである。
○本考案が解決しようとする第３課題
本考案が解決しようとする第３課題は、繰り返し洗濯をしたとしても、性能が劣化することのない点滴用衣服を提供することである。
○本考案が解決しようとする第４課題
本考案が解決しようとする第４課題は、縫製時点における縫製工程の省略によりコストダウンが図れて安価な点滴用衣服を提供することである。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○袖とは、衣服の身頃（みごろ）の外にあって腕を覆う部分をいう。
○脱着可能とは、点滴中は着服してなり、着替え時には合せ目を脱服可能にすることである。
○第１の合せ目とは、左袖の下方部に設けられた脱着可能に合わせた継ぎ目、あるいは、右袖の下方部に設けられた脱着可能に合わせた継ぎ目をいう
○第２の合せ目とは、左袖の下方部から襟にかけて設けられた脱着可能に合わせた継ぎ目、あるいは、右袖の下方部から襟にかけて設けられた脱着可能に合わせた継ぎ目をいう
○ホックとは、衣服などにつける留め金をいう。ふつう、鉤（かぎ）状または丸形のものをいう。
○ボタンとは、衣服の合わせ目などに用いて、他の一方に設けた穴やループを潜らせて留めるものをいう。装飾を兼ねることが多い。
○襟とは、衣服の首回りの部分をいう。
○点滴とは、薬液や栄養物の投与あるいは輸血などで、長期間かけて一滴ずつ静脈内に注入する方法である。
○衣服とは、体に纏うものをいい、着物、衣装のことをいう。本願明細書にあっては、特に断らない限り点滴用衣服をいうものとする。
○シャツとは、上半身に着る肌着、又は肌着の上に着る西洋風の衣服をいう。
○ガウンとは、丈の長い、ゆったりと仕立てた室内着をいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
●上記の課題を解決するための第１の考案（請求項１に記載の考案）は、左袖の下方部に脱着可能な第１の合せ目を有し、左袖の下方部から襟にかけて脱着可能な第２の合せ目を有し、かつ、右袖の下方部に脱着可能な第１の合せ目を有し、右袖の下方部から襟にかけて脱着可能な第２の合せ目を有し、長期間の点滴中でも看護師等の介護なしに自分一人で着替えることができることを特徴とする点滴用衣服である。
○第５の考案（請求項５に記載の考案）
●上記の課題を解決するための第２の考案（請求項２に記載の考案）は、前記脱着可能な第１の合せ目が、ホックにより脱着可能となっていることを特徴とする請求項１に記載された点滴用衣服である。
○第３の考案（請求項３に記載の考案）
●上記の課題を解決するための第３の考案（請求項３に記載の考案）は、前記脱着可能な第２の合せ目が、ボタンにより脱着可能となっていることを特徴とする請求項１〜２の何れかに記載された点滴用衣服である。
○第４の考案（請求項４に記載の考案）
●上記の課題を解決するための第４の考案（請求項４に記載の考案）は、前記点滴用衣服が点滴用シャツであることを特徴とする請求項１〜３の何れかに記載された点滴用衣服である。
○第５の考案（請求項５に記載の考案）
●上記の課題を解決するための第５の考案（請求項５に記載の考案）は、前記点滴用衣服が点滴用ガウンであることを特徴とする請求項１〜４の何れかに記載された点滴用衣服である。
【考案の効果】
【０００７】
本考案に係る、点滴用衣服は、上記のような特徴的構成要件から構成され、特徴的構成要件に応じた、以下のような本願考案特有の効果を奏する。
そして、上記のような特徴的構成要件から構成された荷崩れ防止用具によれば、本願考案の課題を十分解消することができた。
○第１の考案の効果
・第１の考案によれば、左袖の下方部に脱着可能な第１の合せ目を有し、左袖の下方部から襟にかけて脱着可能な第２の合せ目を有し、かつ、右袖の下方部に脱着可能な第１の合せ目を有し、右袖の下方部から襟にかけて脱着可能な第２の合せ目を有するという特徴的な構成要件により、右手に、あるいは右手に点滴注射する場合であっても、病院等での長期間の点滴治療の間中、点滴を外すことなく、かつ看護師等の手助けなしに自分で着替えることのできる点滴用衣服を提供することが可能となり、本考案が解決しようとする第１課題を達成することができ、当業者予測不可能な顕著な効果を奏することができた。
また、左袖の下方部に脱着可能な第１の合せ目を有し、かつ、右袖の下方部に脱着可能な第１の合せ目を有しているという特徴的な構成要件により、点滴ラインは一の腕の上方に位置するので、点滴を受けていない手（点滴を受けている手の反対側の手）で、左袖の下方部、又は、右袖の下方部において、衣服の着替え作業を行うことができるので、点滴注射針の注入位置へ繋がっている点滴ラインと作業する手とが極力離れた位置において着替えが可能な点滴用衣服を提供することが可能となり、本考案が解決しようとする第２課題を達成することができ、当業者予測不可能な顕著な効果を奏することができた。
また、左袖の下方部に脱着可能な第１の合せ目を有し、かつ、右袖の下方部に脱着可能な第１の合せ目を有しているという特徴的な構成要件により、縫製時点において、本来は縫製されるべき第１の合せ目を縫製しないままにして置くことによって、上記縫製時点における縫製工程の省略によりコストダウンが図れて安価な点滴用衣服を提供することが可能となり、本考案が解決しようとする第４課題を達成することができ、当業者予測不可能な顕著な効果を奏することができた。
○第２の考案の効果
・第２の考案によれば、前記脱着可能な第１の合せ目が、ホックにより脱着可能となっていることという特徴的な構成要件により、本考案が解決しようとする第３課題を達成することができ、当業者予測不可能な顕著な効果を奏することができた。
すなわち、第１の合せ目を脱着可能にする手段としては、ホック、ボタンの他、面ファスナー、ジッパー等が考えられるが、ホック、ボタンは、繰り返し洗濯をしたとしても、性能が劣化することがないからである。
○第３の考案の効果
・第３の考案によれば、前記脱着可能な第２の合せ目が、ボタンにより脱着可能となっていることという特徴的な構成要件により、本考案が解決しようとする第３課題を達成することができ、当業者予測不可能な顕著な効果を奏することができた。
すなわち、第２の合せ目を脱着可能にする手段としては、ホック、ボタンの他、面ファスナー、ジッパー等が考えられるが、ホック、ボタンは、繰り返し洗濯をしたとしても、性能が劣化することがないからである。なお、第２の合せ目には、第１の合せ目より、大きな荷重が掛るので、ホックよりボタンの方が外れ難いので、第２の合せ目を脱着可能にする手段としてボタンを採用した。
○第４の考案の効果
・第４の考案によれば、前記点滴用衣服が点滴用シャツであることという特徴的な構成要件により、本考案が解決しようとする第１課題〜第４課題を達成することができ、当業者予測不可能な顕著な効果を奏することができた。
夏季では、前記点滴用衣服として点滴用シャツを着る方が快適に長期間の点滴を受けることができるからである。
○   
第５の考案の効果
・第５の考案によれば、前記点滴用衣服が点滴用ガウンであることという特徴的な構成要件により、本考案が解決しようとする第１課題〜第４課題を達成することができ、当業者予測不可能な顕著な効果を奏することができた。
前記点滴用衣服を点滴用ガウンとすることにより、点滴用シャツの場合と違って、上着と下着の両方を脱着する手間が省け、自分一人で簡単に着替えることができることが可能になるという当業者予測不可能な顕著な効果を奏することができた。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【考案を実施するための最良の形態】
【０００８】
以下、本考案に係る、点滴用衣服１００に関する最良の実施形態について、図面を参照しながら説明する。
図１は、本考案に係る、点滴用衣服の正面図（着服状態を表す図）である。
図２は、本考案に係る、点滴用衣服の正面図（脱服又は着服途中の状態を表す図）である。
図３は、本考案に係る、（他の態様）の点滴用衣服の正面図（着服状態を表す図）である。
図４は、従来の点滴用衣服の正面図（着服状態を表す図）である。
図５は、本考案に係る、点滴用衣服の使用状態を表す正面図である。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の点滴用衣服１００において、左袖の下方部に脱着可能な第１の合せ目ＣＬ１を有し、左袖の下方部から襟２にかけて脱着可能な第２の合せ目ＣＬ２を有し、かつ、右袖の下方部に脱着可能な第１の合せ目ＣＬ１を有し、右袖の下方部から襟２にかけて脱着可能な第２の合せ目ＣＬ２を有し、長期間の点滴中でも看護師等の介護なしに自分一人で着替えることができることを特徴とする点滴用衣服１００が開示されている（図１、図２、図３、図５）。
図５において、点滴用衣服１００の使用状態を説明する。点滴ボトル２０１から点滴ライン２０２を通って、左手に点滴を受けている状態が記載されている。絆創膏２０３で点滴注射針が左手から外れないように接着されている。
点滴中は、第１の合せ目ＣＬ１は、ホックＨ雌雄のホック）により閉じられ、第２の合わせ目ＣＬ２は、ボタンＢ（ボタンＢとボタン穴ＢＨ）により閉じられているが、点滴衣服１００の着替え時には、上記の考案によれば、第１の合わせ目ＣＬ１は、ホックＨ（雌雄のホック）を外すにより開き、第２の合わせ目ＣＬ２は、ボタンＢ（ボタンＢとボタン穴ＢＨ）を外すことにより開くことにより、左袖が開いた状態になる（図５に袖の開いた状態を示す。）。左袖が開いた状態になれば、左手を点滴衣服１００の開いた状態の袖から取り出すことが可能となり、左手を取り出した後で、右手を従来の点滴衣服（図４）と同様に右袖から容易に抜き出すことにより、点滴を受けたままで点滴衣服１００を着替えることが可能となる（図５）。
・左袖の下方部に脱着可能な第１の合せ目ＣＬ１を有し、左袖の下方部から襟２にかけて脱着可能な第２の合せ目ＣＬ２を有し、かつ、右袖の下方部に脱着可能な第１の合せ目ＣＬ１を有し、右袖の下方部から襟２にかけて脱着可能な第２の合せ目ＣＬ２を有するという特徴的な構成要件により、右手に、あるいは右手に点滴注射する場合であっても、病院等での長期間の点滴治療の間中、点滴を外すことなく、かつ看護師等の手助けなしに自分で着替えることのできる点滴用衣服１００を提供することが可能となり、本考案が解決しようとする第１課題を達成することができ、当業者予測不可能な顕著な効果を奏することができた（図１、図２、図３、図５）。
・また、左袖の下方部に脱着可能な第１の合せ目ＣＬ１を有し、かつ、右袖の下方部に脱着可能な第１の合せ目ＣＬ１を有しているという特徴的な構成要件により、点滴ボトム２０１からの点滴ライン２０２は一の腕の上方に位置するので、点滴を受けていない手（点滴を受けている手の反対側の手）で、左袖の下方部、又は、右袖の下方部において、衣服の着替え作業を行うことができるので、点滴注射針の注入位置（絆創膏２０３で押さえ付けれている。）へ繋がっている点滴ライン２０２と作業する手とが極力離れた位置において着替えが可能な点滴用衣服１００を提供することが可能となり、本考案が解決しようとする第２課題を達成することができ、当業者予測不可能な顕著な効果を奏することができた（図１、図２、図３、図５）。
・また、左袖の下方部に脱着可能な第１の合せ目ＣＬ１を有し、かつ、右袖の下方部に脱着可能な第１の合せ目ＣＬ１を有しているという特徴的な構成要件により、縫製時点において、本来は縫製されるべき第１の合せ目ＣＬ１を縫製しないままにして置くことによって、上記縫製時点における縫製工程の省略によりコストダウンが図れて安価な点滴用衣服１００を提供することが可能となり、本考案が解決しようとする第４課題を達成することができ、当業者予測不可能な顕著な効果を奏することができた（図１、図２、図３、図５）。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の点滴用衣服１００において、前記脱着可能な第１の合せ目ＣＬ１が、ホックＨにより脱着可能となっていることを特徴とする点滴用衣服１００が開示されている（図１、図２、図３、図５）。
・上記の点滴用衣服１００（第２の考案）によれば、前記脱着可能な第１の合せ目ＣＬ１が、ホックＨにより脱着可能となっていることという特徴的な構成要件により、本考案が解決しようとする第３課題を達成することができ、当業者予測不可能な顕著な効果を奏することができた。
すなわち、第１の合せ目ＣＬ１を脱着可能にする手段としては、ホックＨ、ボタンＢの他、面ファスナー、ジッパー等が考えられるが、ホックＨ、ボタンＢは、繰り返し洗濯をしたとしても、性能が劣化することがないからである。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の点滴用衣服１００において、前記脱着可能な第２の合せ目ＣＬ２が、ボタンＢにより脱着可能となっていることを特徴とする点滴用衣服１００が開示されている（図１、図２、図３、図５）。
・上記の点滴用衣服１００（第３の考案）によれば、前記脱着可能な第２の合せ目ＣＬ２が、ボタンＢにより脱着可能となっていることという特徴的な構成要件により、本考案が解決しようとする第３課題を達成することができ、当業者予測不可能な顕著な効果を奏することができた。
すなわち、第２の合せ目ＣＬ２を脱着可能にする手段としては、ホックＨ、ボタンＢの他、面ファスナー、ジッパー等が考えられるが、ホックＨ、ボタンＢは、繰り返し洗濯をしたとしても、性能が劣化することがないからである。なお、第２の合せ目ＣＬ２には、第１の合せ目ＣＬ１より、大きな荷重が掛るので、ホックＨよりボタンＢの方が外れ難いので、第２の合せ目ＣＬ２を脱着可能にする手段としてボタンＢを採用したものである。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の点滴用衣服１００において、前記点滴用衣服１００が点滴用シャツＳであることを特徴とする点滴用衣服１００が開示されている（図１、図２、図５）。
・上記の点滴用衣服１００（第４の考案）によれば、前記点滴用衣服１００が点滴用シャツＳであることという特徴的な構成要件により、本考案が解決しようとする第１課題〜第４課題を達成することができ、当業者予測不可能な顕著な効果を奏することができた。
夏季では、前記点滴用衣服１００として点滴用シャツＳを着る方が快適に長期間の点滴を受けることができるからである。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の点滴用衣服１００において、前記点滴用衣服１００が点滴用ガウンＧであることを特徴とする点滴用衣服１００が開示されている（図３）。
・上記の点滴用衣服１００（第５の考案）によれば、前記点滴用衣服１００が点滴用ガウンＧであることという特徴的な構成要件により、本考案が解決しようとする第１課題〜第４課題を達成することができ、当業者予測不可能な顕著な効果を奏することができた。
点滴用ガウンＧは、点滴用シャツＳと違って、上着と下着の両方を脱着する手間が省け、自分一人で簡単に着替えることができることが可能になった。
【図面の簡単な説明】
【０００９】
【図１】図１は、本考案に係る、点滴用衣服の正面図（着服時の状態を表す図）である。
【図２】図２は、本考案に係る、点滴用衣服の正面図（脱服時の状態を表す図）である。
【図３】図３は、本考案に係る、（他の態様）の点滴用衣服の正面図（着服時の状態を表す図）である。
【図４】図４は、従来の点滴用衣服の正面図（着服状態を表す図）である。
【図５】図５は、本考案に係る、点滴用衣服の使用状態を表す正面図である。
【符号の説明】
【００１０】
１００……点滴用衣服（シャツ、ガウン）
１……衣服本体
２……襟
ＣＬ１……第１の合せ目ＣＬ１
ＣＬ２……第２の合せ目ＣＬ２
Ｓ……シャツ
Ｈ……ホック
Ｂ……ボタン
ＢＨ……ボタン穴
２０１……点滴ボトル
２０２……点滴ライン
２０３……絆創膏
【図１】
0003162110.tif 000003
【図２】
0003162110.tif 000004
【図３】
0003162110.tif 000005
【図４】
0003162110.tif 000006
【図５】
0003162110.tif 000007